(57)【要約】 【課題】  カード型原稿の両面の画像を簡単な操作で正確に用紙の同一面に出力することが可能な画像形成装置を提供する。【解決手段】  カードサイズ入力画面３に、カード型原稿の長辺のサイズ（寸法）を測定するための第１スケール１１と、カード型原稿の短辺のサイズ（寸法）を測定するための第２スケール１２とが、同一画面上に、原点で直交するように表示される。長辺サイズ減少指示部１５ａおよび長辺サイズ増加指示部１５ｂを操作することでカード型原稿の長辺サイズを増減させながら入力する。短辺サイズ減少指示部１６ａおよび短辺サイズ増加指示部１６ｂを操作することで、カード型原稿の短辺サイズを増減させながら入力する。【選択図】      図２
2010008615.tif 000002
【特許請求の範囲】
【請求項１】
カード型原稿の表裏両面の画像を読み取り、読み取った２つの原稿画像を記録媒体の同一面上に印刷する画像形成装置において、
前記カード型原稿の寸法を測定する測定器を表示する測定器表示手段と、
前記カード型原稿の寸法を入力する寸法入力手段と、
前記寸法入力手段により入力された寸法に基づいて前記２つの原稿画像の、同一面上における配置位置を設定する設定手段とを備えることを特徴とする画像形成装置。
【請求項２】
前記測定器表示手段は、
カード型原稿の長辺寸法を測定する第１測定器と、
カード型原稿の短辺寸法を測定する第２測定器とを表示し、
前記寸法入力手段は、
カード型原稿の長辺寸法を入力する第１寸法入力部と、
カード型原稿の短辺寸法を入力する第２寸法入力部とを備えることを特徴とする請求項１に記載の画像形成装置。
【請求項３】
前記測定器表示手段は、前記第１測定器の延伸方向と前記第２測定器の延伸方向とが、直交するように、同一画面上に表示させることを特徴とする請求項２に記載の画像形成装置。
【請求項４】
前記測定器表示手段は、前記寸法入力手段によって入力された寸法に応じて、前記測定器の該当箇所に前記測定器の延伸方向に直交する寸法確認線を表示することを特徴とする請求項１〜３のいずれか１つに記載の画像形成装置。
【請求項５】
前記測定器表示手段は、前記測定器の表示単位をメートル単位とインチ単位とに切り替えて表示することを特徴とする請求項１〜４のいずれか１つに記載の画像形成装置。
【請求項６】
読み取った原稿画像を印刷する際の変倍率を入力する変倍率入力手段を備え、
前記設定手段は、寸法入力手段により入力された寸法と、前記変倍率入力手段により入力された変倍率に基づいて前記２つの原稿画像の、同一面上における配置位置を設定することを特徴とする請求項１〜５のいずれか１つに記載の画像形成装置。
【請求項７】
読み取った原稿画像を印刷する際の回転角度を入力する回転角度入力手段を備え、
前記設定手段は、寸法入力手段により入力された寸法と、前記回転角度入力手段により入力された回転角度に基づいて前記２つの原稿画像の、同一面上における配置位置を設定することを特徴とする請求項１〜５のいずれか１つに記載の画像形成装置。
【請求項８】
カード型原稿の表裏両面の画像を読み取り、読み取った２つの原稿画像を記録媒体の同一面上に印刷する画像形成方法において、
前記カード型原稿の寸法を測定する測定器を表示する工程と、
前記カード型原稿の寸法を入力する工程と、
前記寸法入力手段により入力された寸法に基づいて前記２つの原稿画像の、同一面上における配置位置を設定する工程とを備えることを特徴とする画像形成装置。
【発明の詳細な説明】
【技術分野】
【０００１】
本発明は、カード型原稿の表裏両面の画像を記録媒体の同一面上に印刷する画像形成装置に関する。
【背景技術】
【０００２】
従来、複写機を用いて名刺などのカード形状の小型の原稿（以下では「カード型原稿」という）に印刷された裏表の２つの画像を、用紙の同一面にコピーしようとする場合、一旦、カード型原稿の表面の画像を用紙の同一面にコピーし、その表面がコピーされた用紙を戻して、用紙の同じ面に裏面の画像をコピーする方法が一般的に行われる。しかしながら、このような方法では、図１２に示すように、コピー画像７０においてカード型原稿の表面の画像７１と裏面の画像７２とが重なって印刷されたり、図１３に示すように、コピー画像７３においてカード型原稿の表面の画像７４と裏面の画像７５とが反対向きに印刷されたりするミスが起こりやすく、表裏２つの画像を望みどおりの位置に印刷するためには、カード型原稿を原稿台の上に正確に設置する必要があり、操作に手間取るなどといった問題がある。
【０００３】
このようなカード型原稿の複写における問題を改善する技術として、例えば、特許文献１記載の画像形成装置では、原稿画像の配置パターンが複数のパターンから選択されると、選択されたパターンに基づいて複数の画像を１枚の用紙に形成させる、いわゆる２ｉｎ１などのレイアウト機能を備えている。これにより、表面と裏面の画像が重なったり、向きが反対に印刷されることなく、表面と裏面の２つの画像を用紙の同一面に印刷することができる。
【０００４】
【特許文献１】特開２００２−９４７７３号公報
【発明の開示】
【発明が解決しようとする課題】
【０００５】
上記のようなレイアウト機能を用いて、カード型原稿の表面と裏面の画像を用紙の同一面に印刷しようとすると、原稿画像が７０％程度に縮小されるため、印刷画像の大きさを原稿画像と同じ大きさにしようとすると、１４１％程度に拡大する必要がある。
【０００６】
しかしながら、図１４に示すように、原稿台上のカード型原稿を置く位置によっては、拡大印刷する際に、拡大画像が用紙に収まりきらず、コピー画像７６のように、カードの表面の画像７７や裏面の画像７８の一部が欠落する問題がある。また、画像が欠落しないまでも、縮小を考慮し拡大画像の位置を揃えるのは難しく、操作を正確かつ迅速に行うことができないといった問題点がある。
【０００７】
拡大縮小を考慮するためには、たとえば、カード型原稿の実寸法を定規などで測定し、その測定結果に基づいて、拡大縮小画像の寸法を算出し、用紙の大きさと算出した画像の寸法とからレイアウトなどを決める必要があり、やはり操作が煩雑となってしまう。
【０００８】
本発明の目的は、カード型原稿の両面の画像を簡単な操作で正確に用紙の同一面に出力することが可能な画像形成装置を提供することである。
【課題を解決するための手段】
【０００９】
本発明は、カード型原稿の表裏両面の画像を読み取り、読み取った２つの原稿画像を記録媒体の同一面上に印刷する画像形成装置において、
前記カード型原稿の寸法を測定する測定器を表示する測定器表示手段と、
前記カード型原稿の寸法を入力する寸法入力手段と、
前記寸法入力手段により入力された寸法に基づいて前記２つの原稿画像の、同一面上における配置位置を設定する設定手段とを備えることを特徴とする画像形成装置である。
【００１０】
また本発明は、前記測定器表示手段は、
カード型原稿の長辺寸法を測定する第１測定器と、
カード型原稿の短辺寸法を測定する第２測定器とを表示し、
前記寸法入力手段は、
カード型原稿の長辺寸法を入力する第１寸法入力部と、
カード型原稿の短辺寸法を入力する第２寸法入力部とを備えることを特徴とする。
【００１１】
また本発明は、前記測定器表示手段は、前記第１測定器の延伸方向と前記第２測定器の延伸方向とが、直交するように、同一画面上に表示させることを特徴とする。
【００１２】
また本発明は、前記測定器表示手段は、前記寸法入力手段によって入力された寸法に応じて、前記測定器の該当箇所に前記測定器の延伸方向に直交する寸法確認線を表示することを特徴とする。
【００１３】
また本発明は、前記測定器表示手段は、前記測定器の表示単位をメートル単位とインチ単位とに切り替えて表示することを特徴とする。
【００１４】
また本発明は、読み取った原稿画像を印刷する際の変倍率を入力する変倍率入力手段を備え、
前記設定手段は、寸法入力手段により入力された寸法と、前記変倍率入力手段により入力された変倍率に基づいて前記２つの原稿画像の、同一面上における配置位置を設定することを特徴とする。
【００１５】
また本発明は、読み取った原稿画像を印刷する際の回転角度を入力する回転角度入力手段を備え、
前記設定手段は、寸法入力手段により入力された寸法と、前記回転角度入力手段により入力された回転角度に基づいて前記２つの原稿画像の、同一面上における配置位置を設定することを特徴とする。
【００１６】
また本発明は、カード型原稿の表裏両面の画像を読み取り、読み取った２つの原稿画像を記録媒体の同一面上に印刷する画像形成方法において、
前記カード型原稿の寸法を測定する測定器を表示する工程と、
前記カード型原稿の寸法を入力する工程と、
前記寸法入力手段により入力された寸法に基づいて前記２つの原稿画像の、同一面上における配置位置を設定する工程とを備えることを特徴とする画像形成装置である。
【発明の効果】
【００１７】
本発明によれば、測定器表示手段によってカード型原稿の寸法を測定する測定器が表示されるので、表示された測定器で寸法を測定し、寸法入力手段によってカード型原稿の寸法を入力することができる。設定手段は、前記寸法入力手段により入力された寸法に基づいて前記２つの原稿画像の、同一面上における配置位置を設定する。
【００１８】
これにより、カード型原稿の両面の画像を簡単な操作で正確に用紙の同一面に出力することができる。
【００１９】
また本発明によれば、前記測定器表示手段は、カード型原稿の長辺寸法を測定する第１測定器と、カード型原稿の短辺寸法を測定する第２測定器とを表示し、前記寸法入力手段は、カード型原稿の長辺寸法を入力する第１寸法入力部と、カード型原稿の短辺寸法を入力する第２寸法入力部とを備える。
【００２０】
これにより、長辺寸法と短辺寸法を個別に同時に測定でき、各寸法を個別に入力できるため、長辺と短辺（縦と横）の寸法を間違えて入力するのを防止でき、複写画像において画像の一部が欠落することを防ぐことができる。
【００２１】
また本発明によれば、前記測定器表示手段は、前記第１測定器の延伸方向と前記第２測定器の延伸方向とが、直交するように、同一画面上に表示させる。
【００２２】
これにより、表示される測定器にカード型原稿を当てることにより、長辺寸法と短辺寸法とを同時に測定できるので、正確かつ迅速に寸法の測定ができる。
【００２３】
また本発明によれば、前記測定器表示手段は、前記寸法入力手段によって入力された寸法に応じて、前記測定器の該当箇所に前記測定器の延伸方向に直交する寸法確認線を表示する。
【００２４】
カード型原稿と寸法確認線で示される原稿寸法と直接比較できるので、入力された寸法が間違っていないか容易に確認することができ、寸法の入力ミスを防止できる。
【００２５】
また本発明によれば、前記測定器表示手段は、前記測定器の表示単位をメートル単位とインチ単位とに切り替えて表示する。
これにより、間違った単位で寸法を入力してしまうことを防ぐことができる。
【００２６】
また本発明によれば、変倍率入力手段によって、読み取った原稿画像を印刷する際の変倍率を入力する。前記設定手段は、寸法入力手段により入力された寸法と、前記変倍率入力手段により入力された変倍率に基づいて前記２つの原稿画像の、同一面上における配置位置を設定する。
これにより、複写画像を見やすい大きさに変更して印刷することができる。
【００２７】
また本発明によれば、回転角度入力手段によって、読み取った原稿画像を印刷する際の回転角度を入力する。前記設定手段は、寸法入力手段により入力された寸法と、前記回転角度入力手段により入力された回転角度に基づいて前記２つの原稿画像の、同一面上における配置位置を設定する。
これにより、複写画像を見やすい向きに回転させて印刷することができる。
【００２８】
また本発明によれば、カード型原稿の寸法を測定する測定器が表示されるので、表示された測定器で寸法を測定し、カード型原稿の寸法を入力することができる。前記寸法入力手段により入力された寸法に基づいて前記２つの原稿画像の、同一面上における配置位置が設定される。
【００２９】
これにより、カード型原稿の両面の画像を簡単な操作で正確に用紙の同一面に出力することができる。
【発明を実施するための最良の形態】
【００３０】
以下、実施形態を示す図面に基づいて本発明を具体的に説明する。
図１は、本発明の実施の一形態である画像形成装置１の構成を示すブロック図である。本実施形態に係る画像形成装置１は、制御部１００、バスライン１０１、入力部１０２、表示部１０３、画像読取部１０４、プログラムメモリ部１０５、バッファメモリ部１０６、画像処理部１０７、画像形成部１０８、及び記憶媒体読取部１０９を備える。
【００３１】
制御部１００は、例えば、ＣＰＵ（中央演算処理装置）で構成され、プログラムメモリ部１０５から制御プログラムを読み出し、アドレスデータ、制御データ、画像データなどの各種データを転送するバスライン１０１を介して、各部を制御することにより本発明の画像形成方法を実現する。
【００３２】
入力部１０２は、例えば、液晶ディスプレイに重ねたタッチパネルと、ハードキーなどで構成され、複写指示の入力、カード型原稿のサイズの入力、変倍率の設定、回転角度の設定などを行えるよ。すなわち、入力部１０２は、カード型原稿の長辺と短辺のサイズ入力を受付ける手段、カード型原稿の印刷画像に対する変倍率の設定を受付ける手段、カード型原稿の画像の回転角度の設定を受付ける手段として機能する。
【００３３】
表示部１０３は、例えば、ＬＣＤ（液晶ディスプレイ）、ＣＲＴ（陰極線管）ディスプレイ、ＰＤ（プラズマディスプレイ）などで構成され、カード型原稿のサイズを測定するためのスケール、入力部１０２から入力されたサイズの数値、サイズ確認線、変倍率回転角度、用紙サイズなどが表示される。
【００３４】
カード型原稿のサイズの入力については、例えば、表示部１０３である液晶ディスプレイにスケールを表示し、印刷しようとするカード型原稿のサイズ（長辺長さ、短辺長さ）を表示されたスケールで測定しながら、液晶ディスプレイ上のタッチパネル（入力部１０２）で入力することにより行う。
【００３５】
画像読取部１０４は、画像読取プログラム、ＣＣＤからなるスキャナ部、原稿台などで構成され、原稿台上の所定の位置に載置されたカード型原稿を含む各種原稿から画像をデジタルデータとして読み取る。読み取った画像データはバッファメモリ１０６に記憶される。
【００３６】
プログラムメモリ部１０５は、例えば、ＲＯＭ（Read Only Memory）、ＥＥＰＲＯＭ（
Electrically Erasable and Programmable Read Only Memory）、ハードディスク、ＭＯ（Magneto-Optical）ディスクなどで構成され、制御部１００が各部を制御するためのメインルーチン制御プログラム、画像を形成するための画像形成プログラム、画像読取部１０４により読み取られた原稿画像をアドレスに対応させてバッファメモリ１０６に記憶するための記憶制御プログラムや、バス１０１を制御するためのバス制御プログラムなどが記憶されている。
【００３７】
バッファメモリ１０６は、例えば、ＲＡＭ（Random Access Memory）、ＥＥＰＲＯＭ、フレキシブルディスク、ハードディスク、ＭＯなどで構成され、制御部１００によって制御される制御中のデータ、入力された指示情報、画像形成条件を記憶する。また、バッファメモリ１０６は、読み取られたカード型原稿の画像を一時記憶する画像記憶手段として機能する。
【００３８】
画像処理部１０７は、例えば、画像処理プログラムに基づいて動作するＡＳＩＣ（
Application Specific Integrated Circuit）などで構成され、バッファメモリ部１０６からカード型原稿を含む原稿の画像データをビットマップ上に読み出し、原稿の画像データを入力部１０２にて設定された変倍率で変倍したり、原稿の画像データを入力部１０２にて設定された回転角度で回転したり、入力部１０２にて入力されたカード型原稿のサイズに応じて、カード型原稿の表面画像と裏面画像とが記録用紙の同一面において所定の位置に配置されるように画像合成処理を行う。
【００３９】
また、画像処理部１０７は、シェーディング補正、領域分離処理、入力階調補正、色補正、黒生成下色除去、空間フィルタ処理、中間調処理など、入力された画像データを画像形成部１０８にて再現性高く印刷できるように各種の処理を行う。
【００４０】
画像形成部１０８は、例えば、感光体ドラム、レーザスキャニングユニット、帯電部、現像部、転写チャージャで構成され、画像形成プログラムに基づいて動作する電子写真式の画像形成部であり、複写用紙などの記録媒体表面に原稿画像を再現して記録する。
【００４１】
記憶媒体読取部１０９は、記憶媒体１１０に記憶された各種データ及びコンピュータプログラムを読み取るための読取装置を備える。記憶媒体１１０は、例えば、マスクＲＯＭ、ＥＰＲＯＭ、ＥＥＰＲＯＭ、フラッシュＲＯＭ等による半導体メモリ、あるいはハードディスク等の磁気ディスクやＣＤ−ＲＯＭ／ＭＯ／ＭＤ／ＤＶＤ等の光ディスクのディスク系、ＩＣカード（メモリカードも含む）／光カード等のカード系等を含めた本体と分離可能なメディアで構成した固定的にプログラムを担持する記憶媒体を示す。
【００４２】
記憶媒体１１０に記憶されるコンピュータプログラムとしては、上述したような画像処理プログラム、メインルーチン制御プログラム、画像形成プログラム、記憶制御プログラム、およびバス制御プログラムの他、本発明に係るコンピュータプログラムが含まれる。記憶媒体読取部１０９にて読み取られたこれらのコンピュータプログラムは、制御部１００が実行する制御プログラムの１つとしてプログラムメモリ１０５に格納される。
【００４３】
図２は、表示部１０３に表示されるカードサイズ入力画面３を示す。
本実施形態では、表示部１０３に入力部１０２としてのタッチパネルが重ねて備えられており、以下で示すように表示部１０３に表示されるキーとタッチパネルとでソフトキーを構成する。なお、入力部１０２としては、上記のようにタッチパネル以外にハードキーも備えている。
【００４４】
表示部１０３のカードサイズ入力画面３には、カード型原稿の長辺のサイズ（寸法）を測定するための第１スケール１１と、カード型原稿の短辺のサイズ（寸法）を測定するための第２スケール１２とが、同一画面上に、原点で直交するように表示される。
【００４５】
第１スケール１１および第２スケール１２は、測定器である定規（スケール）を疑似的に表示させたものであり、スケールの延伸方向と直交する方向に目盛線が表示される。ここで表示される目盛線は、たとえば、主目盛線、主目盛線よりも短い副目盛線があり、これらの目盛線は、ユーザが刻み幅を設定することで所望の刻み幅で表示させることができる。図２で示した例では、主目盛線が１ｃｍ（１０ｍｍ）刻みであり、副目盛線が５ｍｍ刻みである。さらに、設定された刻み幅に応じて５ｃｍごと、１０ｃｍごとに主目盛線よりも長い区切り目盛線などを表示させることもできる。
【００４６】
さらに、ユーザが設定することにより、刻み幅の単位をｍ（メートル）以外の単位、たとえばインチ表示に変更することができる。これによって間違った単位でサイズを入力してしまうことを防ぐことができる。なお、本実施形態では、ｍ（メートル）単位を用いた場合について説明する。
【００４７】
カード型原稿の長辺として入力されたサイズを表示する長辺サイズ表示部１３が、第１スケール１１の上方で延伸方向略中央部に表示され、カード型原稿の短辺として入力されたサイズを表示する短辺サイズ表示部１４が、第２スケール１２の左方で延伸方向略中央部に表示される。
【００４８】
さらに、カードサイズ入力画面３には、長辺サイズ減少指示部１５ａ、長辺サイズ増加指示部１５ｂが、長辺サイズ表示部１３を第１スケール１１の延伸方向に沿って左右に挟む位置に表示され、短辺サイズ減少指示部１６ａ、短辺サイズ増加指示部１６ｂが、短辺サイズ表示部１４を第２スケール１２の延伸方向に沿って上下に挟む位置に表示される。
【００４９】
長辺サイズ減少指示部１５ａおよび長辺サイズ増加指示部１５ｂは、タッチパネルとともにソフトキーを構成しており、タッチパネルの長辺サイズ減少指示部１５ａに相当する領域を押下することによりカード型原稿の長辺サイズを減少させながら入力することができる。長辺サイズ拡大指示部１５ｂに相当する領域を押下することによりカード型原稿の長辺サイズを増加させながら入力することができる。
【００５０】
同様に、短辺サイズ減少指示部１６ａおよび短辺サイズ増加指示部１６ｂは、タッチパネルとともにソフトキーを構成しており、タッチパネルの短辺サイズ減少指示部１６ａに相当する領域を押下することによりカード型原稿の短辺サイズを減少させながら入力することができる。短辺サイズ拡大指示部１６ｂに相当する領域を押下することによりカード型原稿の短辺サイズを増加させながら入力することができる。
【００５１】
各指示部１５ａ，１５ｂ，１６ａ、１６ｂによって入力された長辺サイズおよび短辺サイズは、それぞれ長辺サイズ表示部１３、短辺サイズ表示部１４に表示され、各指示部１５ａ，１５ｂ，１６ａ、１６ｂが押下されるごとに長辺サイズ表示部１３、短辺サイズ表示部１４に表示される長辺サイズおよび短辺サイズも増減して表示される。
【００５２】
長辺サイズ確認線１７は、第１スケール１１の延伸方向に直交するように表示され、入力された長辺サイズであり、長辺サイズ表示部１３に表示された長辺サイズに応じて、第１スケール１１のその入力された長辺サイズに該当する座標を通るように表示される。
【００５３】
また、短辺サイズ確認線１８は、第２スケール１２の延伸方向に直交するように、すなわち長辺サイズ確認線１７に直交するように表示され、入力された短辺サイズであり、短辺サイズ表示部１４に表示された短辺サイズに応じて、第２スケール１２のその入力された短辺サイズに該当する座標を通るように表示される。
【００５４】
長辺サイズ確認線１７、短辺サイズ確認線１８が表示されることによって、入力したカード型原稿の長辺サイズ、短辺サイズにそれぞれ入力間違いがないか確認することができる。
【００５５】
さらに第１スケール１１、第２スケール１２、長辺サイズ確認線１７、短辺サイズ確認線１８で囲まれた領域が、カードサイズ領域１９として他の領域と区別可能なように、たとえばグレーなど色を変えて表示され、入力したカード型原稿の長辺サイズ、短辺サイズに入力間違いがないか、表示画面を見るだけで容易に確認することができる。
【００５６】
カードサイズ入力画面３の右上隅部には、次画面移行指示部２０が表示され、タッチパネルとともにソフトキーを構成しており、次画面移行指示部２０に相当する領域を押下することにより、次の入力画面（本実施形態においては変倍率入力画面４）への移行指示が入力される。また、次画面移行指示部２０が押下されるとカードサイズ入力画面３にて入力されたカード型原稿の長辺サイズおよび短辺サイズが確定する。
【００５７】
図３は、表示部１０３に表示される変倍率入力画面４を示す。
変倍率入力画面４には、入力されたカード型原稿の複写画像の印刷変倍率を表示する変倍率表示部２１が表示され、変倍率減少指示部２２ａ、変倍率増加指示部２２ｂが、変倍率表示部２１を左右に挟む位置に表示される。
【００５８】
変倍率減少指示部２２ａおよび変倍率増加指示部２２ｂは、タッチパネルとともにソフトキーを構成しており、タッチパネルの変倍率縮小指示部２２ａに相当する領域を押下することにより複写画像の変倍率を減少させながら入力することができる。変倍率増加指示部２２ｂに相当する領域を押下することにより複写画像の変倍率を増加させながら入力することができる。
【００５９】
各指示部２２ａ，２２ｂによって入力された変倍率は、変倍率表示部２１に表示され、各指示部２２ａ，２２ｂが押下されるごとに変倍率表示部２１に表示される変倍率も増減して表示される。
【００６０】
変倍率表示部２１の下方には、変倍後のプレビュー画像２３が表示される。読み取られたカード型原稿の表面画像２３ａと裏面画像２３ｂの２つの画像が、変倍率表示部２１に表示されている変倍率で用紙の同一面に複写された場合の複写画像について、そのレイアウトが確認できるように表示される。現時点では、現行は読み取っていない状態であるから、読み取られたカード型原稿の表面画像２３ａには「Ａ」と表示し、裏面画像２３ｂには「Ｂ」と表示している。
【００６１】
図４は、変倍率を変化させたときの変倍率入力画面４を示す図である。
変倍率については、変倍率入力画面４を最初に表示した時点での初期値は１００％（等倍）に設定されており、変倍率表示部２１にも「１００％」と表示される。そののち、変倍率増加指示部２２ｂを押下することで、変倍率をたとえば２００％まで増加させると、変倍率表示部２１ａには「２００％」と表示されるとともに、カード型原稿の読み取り画像を２００％に拡大した表面画像２３ｃと裏面画像２３ｄの２つの画像が、用紙の同一面に複写された場合の複写画像について、そのレイアウトが確認できるように表示される。
【００６２】
また、初期値から、または現在変倍率表示部２１に表示されている変倍率から縮小したい場合は、変倍率減少指示部２２ａを押下することで、変倍率をたとえば７０％などに減少させると、変倍率表示部２１には「７０％」と表示される。さらに、カード型原稿の読み取り画像を７０％に縮小した表面画像２３と裏面画像２３の２つの画像が、用紙の同一面に複写された場合の複写画像について、そのレイアウトが確認できるようにプレビュー画像２３が表示される。
【００６３】
変倍率入力画面４の下側、変倍後プレビュー画像２３の下方には、次画面移行指示部２４と前画面移行指示部２５が表示され、タッチパネルとともにソフトキーを構成しており、次画面移行指示部２４に相当する領域を押下することにより、次の入力画面（本実施形態においては回転角度入力画面５）への移行指示が入力される。前画面移行指示部２５に相当する領域を押下することにより、前の入力画面（本実施形態においてはカードサイズ入力画面３）への移行指示が入力される。
【００６４】
次画面移行指示部２４が押下されると変倍率入力画面４にて入力されたカード型原稿の複写画像の変倍率が確定する。
【００６５】
図５は、表示部１０３に表示される回転角度入力画面５を示す。
回転角度入力画面５には、入力されたカード型原稿の複写画像の回転角度を表示する回転角度表示部３１が表示され、回転角度減少指示部３２ａ、回転角度増加指示部３２ｂが、回転角度表示部３１を左右に挟む位置に表示される。
【００６６】
回転角度減少指示部３２ａおよび回転角度増加指示部３２ｂは、タッチパネルとともにソフトキーを構成しており、タッチパネルの回転角度縮小指示部３２ａに相当する領域を押下することにより複写画像の回転角度を減少（本実施形態においては左回り）させながら入力することができる。回転角度増加指示部３２ｂに相当する領域を押下することにより複写画像の回転角度を増加（本実施形態においては右回り）させながら入力することができる。
【００６７】
各指示部３２ａ，３２ｂによって入力された回転角度は、回転角度表示部３１に表示され、各指示部３２ａ，３２ｂが押下されるごとに回転角度表示部３１に表示される回転角度も増減して表示される。
【００６８】
回転角度表示部２１の下方には、回転後のプレビュー画像３３が表示される。読み取られたカード型原稿の表面画像３３ａと裏面画像３３ｂの２つの画像が、回転角度表示部３１に表示されている回転角度で用紙の同一面に複写された場合の複写画像について、そのレイアウトが確認できるように表示される。現時点では、現行は読み取っていない状態であるから、読み取られたカード型原稿の表面画像２３ａには「Ａ」と表示し、裏面画像２３ｂには「Ｂ」と表示している。
【００６９】
図６は、回転角度を変化させたときの回転角度入力画面５を示す図である。
回転角度については、回転角度入力画面５を最初に表示した時点での初期値は０°に設定されており、回転角度表示部３１にも「０°」と表示される。そののち、回転角度増加指示部３２ｂを押下することで、回転角度をたとえば９０°まで増加させると、回転角度表示部３１ａには「９０°」と表示されるとともに、カード型原稿の読み取り画像を右回りに９０°回転した表面画像３３ｃと裏面画像３３ｄの２つの画像が、用紙の同一面に複写された場合の複写画像について、そのレイアウトが確認できるように表示される。
【００７０】
また、初期値から、または現在回転角度表示部３１に表示されている回転角度から減少したい場合は、回転角度減少指示部３２ａを押下することで、回転角度をたとえば−９０°などに減少させると、回転角度表示部３１には「−９０°」と表示される。さらに、カード型原稿の読み取り画像を左回りに９０°回転した表面画像３３と裏面画像３３の２つの画像が、用紙の同一面に複写された場合の複写画像について、そのレイアウトが確認できるようにプレビュー画像３３が表示される。
【００７１】
本実施形態において、回転角度０°とは、読み取られたカード型原稿画像を、読み取ったときのままの向きで回転しない場合の角度である。そこから増加させると入力された角度分だけ右回り、減少させると入力された角度分だけ左回りに複写画像を回転させることができる。複写画像の回転は、表面画像３３と裏面画像３３の位置関係は変更せず、それぞれの画像ごとに回転させる。すなわち、複写画像の回転中心は、２つの画像の中間に１つあるのではなく、２つの画像にそれぞれ回転中心が設定される。
【００７２】
回転角度入力画面５の下側、回転後プレビュー画像３３の下方には、次画面移行指示部３４と前画面移行指示部３５が表示され、タッチパネルとともにソフトキーを構成しており、次画面移行指示部３４に相当する領域を押下することにより、次の画面（本実施形態においては表画像読込指示画面６）への移行指示が入力される。前画面移行指示部３５に相当する領域を押下することにより、前の入力画面（本実施形態においては変倍率入力画面４）への移行指示が入力される。
【００７３】
次画面移行指示部３４が押下されると回転角度入力画面５にて入力されたカード型原稿の複写画像の回転角度が確定する。
【００７４】
図７は、表示部１０３に表示される表面画像読込指示画面６を示す。
表面画像読込指示画面６では、主に画像読取部１０４へのカード型原稿の載置位置および載置面について、模式図を表示してユーザに教示するガイド表示を行う。
【００７５】
表面画像読込指示画面６では、画像読取部１０４の蓋部１０４ａを開いて、読み取り台１０４ｂが見えるような斜視図４１を表示し、読み取り台１０４ｂ上でカード型原稿６０を載置する位置を表示する。さらに、カード型原稿の表面を読み取るには、原稿の表面を下向きに載置する必要があるので、斜視図には、カード型原稿１の裏面を上向きに載置するように、裏面を示す「Ｂ」を表示する。
【００７６】
表面画像読込指示画面６の右下隅部には、表面複写指示部４２が表示され、タッチパネルとともにソフトキーを構成しており、カード型原稿６０を実際に読み取り台１０４ｂに載置した状態で表面複写指示部４２に相当する領域を押下することにより、画像読取部１０４に原稿画像の読み取り指示が出力されるとともに、次の画面（本実施形態においては裏面画像読込指示画面７）への移行指示が入力される。
【００７７】
図８は、表示部１０３に表示される裏面画像読込指示画面７を示す。
裏面画像読込指示画面７では、表面画像読込指示画面６と同様主に画像読取部１０４へのカード型原稿の載置位置および載置面について、模式図を表示してユーザに教示するガイド表示を行う。
【００７８】
裏面画像読込指示画面７では、画像読取部１０４の蓋部１０４ａを開いて、読み取り台１０４ｂが見えるような斜視図５１を表示し、読み取り台１０４ｂ上でカード型原稿６０を載置する位置を表示する。さらに、カード型原稿の裏面を読み取るには、原稿の裏面を下向きに載置する必要があるので、斜視図には、カード型原稿１の表面を上向きに載置するように、表面を示す「Ａ」を表示する。
【００７９】
裏面画像読込指示画面７の右下隅部には、裏面複写指示部５２が表示され、タッチパネルとともにソフトキーを構成しており、カード型原稿６０を実際に読み取り台１０４ｂに載置した状態で裏面複写指示部５２に相当する領域を押下することにより、画像読取部１０４に原稿画像の読み取り指示が出力される。
【００８０】
以上のようにしてカード型原稿のサイズを画面表示された第１スケール１１、第２スケール１２で測定し、確認しながら入力することができるので、長辺と短辺（縦と横）の寸法を間違えて入力するのを防止でき、複写画像において画像の一部が欠落することを防ぐことができる。
【００８１】
図９は、画像形成装置１によるカード型原稿複写処理を示すフローチャートである。
まず、ステップＳ１では、カード型原稿のサイズを測定するための第１スケール１１および第２スケール１２を表示部１０３に表示する。
【００８２】
ステップＳ２では、長辺サイズ減少指示部１５ａ、長辺サイズ増加指示部１５ｂ、短辺サイズ減少指示部１６ａ、短辺サイズ増加指示部１６ｂが操作されてカード型原稿の長辺サイズおよび短辺サイズが入力される。このとき、入力されたサイズに応じて、長辺サイズ確認線１７、短辺サイズ確認線１８が表示される。さらに、第１スケール１１、第２スケール１２、長辺サイズ確認線１７、短辺サイズ確認線１８で囲まれたカードサイズ領域１９を表示する。次画面移行指示部２０が押下されると入力された長辺サイズ、短辺サイズを確定してステップＳ３に進む。
【００８３】
ステップＳ３では、変倍率入力画面４を表示し、変倍率減少指示部２２ａおよび変倍率増加指示部２２ｂが操作されて変倍率が入力される。入力された変倍率に応じたプレビュー画像が表示される。次画面移行指示部２４が押下されると入力された変倍率を確定してステップＳ４に進む。
【００８４】
ステップＳ４では、回転角度入力画面５を表示し、回転角度減少指示部３２ａおよび回転角度増加指示部３２ｂが操作されて回転角度が入力される。入力された回転角度に応じたプレビュー画像が表示される。次画面移行指示部３４が押下されると入力された回転角度を確定してステップＳ５に進む。
【００８５】
ステップＳ５では、表面画像読込指示画面６を表示して、表面複写指示部４２が操作されると、画像読取部１０４に原稿画像の読み取り指示を出力してカード型原稿の表面画像を読み取り、読み取った表面画像はアドレスに対応させてバッファメモリ１０６に記憶される。
【００８６】
ステップＳ６では、裏面画像読込指示画面７を表示して、裏面複写指示部５２が操作されると、画像読取部１０４に原稿画像の読み取り指示を出力してカード型原稿の表面画像を読み取り、読み取った表面画像はアドレスに対応させてバッファメモリ１０６に記憶される。
【００８７】
ステップＳ７では、ステップＳ３で入力された変倍率に基づいて、バッファメモリ１０６に記憶されたカード型原稿の表面画像と裏面画像に変倍処理を行う。
【００８８】
ステップＳ８では、ステップＳ４で入力された回転角度に基づいて、バッファメモリ１０６に記憶されたカード型原稿の表面画像と裏面画像に回転処理を行う。
【００８９】
ステップＳ９では、入力された変倍率および回転角度に基づいて変倍、回転された表面画像と裏面画像とを合成する。
【００９０】
ステップＳ１０では、合成された画像を印刷用紙の片面に形成する。
合成された画像の作成は、たとえば以下のように行う。
【００９１】
ステップＳ２で入力された長辺サイズおよび短辺サイズを基に、印刷用紙を上下に均等に分割した２つの長方形の上側長方形の中心に、表面画像の中心が一致するようにし、下側長方形の中心に、裏面画像の中心が一致するように２つの画像を配置して、これらを合成して１つの画像とする。
【００９２】
図１０は、画像読取部１０４にて読み取って得られたカード型原稿の画像１０を示す図である。図１０（ａ）は表面画像１０ａを示し、図１０（ｂ）は裏面画像１０ｂを示す。
【００９３】
この読み取り画像１０は、カード型原稿６０を画像読取部１０４の所定位置（本実施形態においては読み取り台１０４ｂの左上隅）に載置して読み取って得られたものであり、アルファベットと四角形の画像が含まれている。
【００９４】
図１１は、複写画像６１の例を示す図である。
複写画像６１は、図１０に示したように、カード型原稿の読み取り画像１０の表面画像１０ａと裏面画像１０ｂとが用紙の同一面に複写された画像である。この例では、変倍率１００％（等倍）、回転角度０°（回転無し）の条件に設定されたものである。
【図面の簡単な説明】
【００９５】
【図１】本発明の実施の一形態である画像形成装置１の構成を示すブロック図である。
【図２】表示部１０３に表示されるカードサイズ入力画面３を示す。
【図３】表示部１０３に表示される変倍率入力画面４を示す。
【図４】変倍率を変化させたときの変倍率入力画面４を示す図である。
【図５】表示部１０３に表示される回転角度入力画面５を示す。
【図６】回転角度を変化させたときの回転角度入力画面５を示す図である。
【図７】表示部１０３に表示される表面画像読込指示画面６を示す。
【図８】表示部１０３に表示される裏面画像読込指示画面７を示す。
【図９】画像形成装置１によるカード型原稿複写処理を示すフローチャートである。
【図１０】画像読取部１０４にて読み取って得られたカード型原稿の画像１０を示す図である。
【図１１】複写画像６１の例を示す図である。
【図１２】印刷ミスのコピー画像７０を示す図である。
【図１３】印刷ミスのコピー画像７３を示す図である。
【図１４】印刷ミスのコピー画像７６を示す図である。
【符号の説明】
【００９６】
１  画像形成装置
１１  第１スケール
１２  第２スケール
１５ａ  長辺サイズ減少指示部
１５ｂ  長辺サイズ増加指示部
１６ａ  短辺サイズ減少指示部
１６ｂ  短辺サイズ増加指示部
１００  制御部
１０１  バスライン
１０２  入力部
１０３  表示部
１０４  画像読取部
１０５  プログラムメモリ部
１０６  バッファメモリ部
１０７  画像処理部
１０８  画像形成部
１０９  記憶媒体読取部
【図１】
2010008615.tif 000003
【図２】
2010008615.tif 000004
【図３】
2010008615.tif 000005
【図４】
2010008615.tif 000006
【図５】
2010008615.tif 000007
【図６】
2010008615.tif 000008
【図７】
2010008615.tif 000009
【図８】
2010008615.tif 000010
【図９】
2010008615.tif 000011
【図１０】
2010008615.tif 000012
【図１１】
2010008615.tif 000013
【図１２】
2010008615.tif 000014
【図１３】
2010008615.tif 000015
【図１４】
2010008615.tif 000016